(57)【要約】【課題】リハビリテーブルとしてはもちろん、オーバーベッドテーブルとしても使うことができるようにする。【解決手段】一対の脚部２と、これら脚部２にそれぞれ立設した、高さ調節機構７により昇降調節可能な支柱部３と、これら支柱部３上部側間に伸縮可能な調節杆４を配設して、前記支柱部３間を調節可能に構成し、前記調節杆４上辺中央箇所に、支持部材８を介してメインテーブル板５を配置すると共に、調節杆４上辺両端側にそれぞれサブテーブル板６，６を配置し、前記調節杆４を使用状況に応じて伸縮調節して、支柱部３間の距離を変えて、前記メインテーブル板５からサブテーブル板６，６を出し入れすることで、実質的なテーブル面を拡縮可能に構成する。【選択図】              図２
2004180912.tif 000002
【特許請求の範囲】
【請求項１】
一対の脚部と、これら脚部にそれぞれ立設した支柱部と、これら支柱部上部側間に伸縮可能な調節杆を配設して、前記支柱部間を調節可能に構成し、前記調節杆上辺中央箇所に、支持部材を介してメインテーブル板を配置すると共に、調節杆上辺両端側にそれぞれサブテーブル板を配置し、前記調節杆を使用状況に応じて伸縮調節して、支柱部間の距離を変えて、前記メインテーブル板からサブテーブル板を出し入れすることで、実質的なテーブル面を調節可能としたことを特徴とする多用途テーブル装置。
【請求項２】
前記一対の支柱部は、それぞれ脚部に固設した固定支柱と固定支柱に昇降可能に保持した昇降支柱とを有し、この昇降支柱上端側に前記調節杆を配設し、この昇降支柱を高さ調節機構により昇降調節して、前記メインテーブル板およびサブテーブル板の高さを調節可能としたことを特徴とする請求項１記載の多用途テーブル装置。
【請求項３】
前記高さ調節機構は、前記固定支柱側に位置決めとメインテーブル板並びにサブテーブル板の落下を阻止するためのストッパと、固定支柱に対する前記昇降支柱のがたつきを抑えるためのノブボルトとを有し、前記昇降支柱側に前記ストッパが係止すべき係止凹部を複数列設して構成したことを特徴とする請求項２記載の多用途テーブル装置。
【請求項４】
前記調節杆は、前記メインテーブル板を支えるセンター杆と、センター杆両端側に進退可能に装着し、前記サブテーブル板を支えてなる、双方の支柱部上部側に固設した進退杆によって構成したことを特徴とする請求項１または２記載の多用途テーブル装置。
【請求項５】
前記脚部は、長尺な脚枠とこの脚枠両端に設けた、前部キャスタ枠と後部キャスタ枠とを有し、これら前部キャスタ枠と後部キャスタ枠とにそれぞれ前輪キャスタ、後輪キャスタを取り付け、前記脚枠内に前記前輪キャスタ、後輪キャスタの接地面より下方に突出して脚部を拘束するブレーキ手段を設けたことを特徴とする請求項１または２記載の多用途テーブル装置。
【発明の詳細な説明】
【０００１】
【発明の属する技術分野】
本発明は、ベッドにおいて使用されるテーブル装置に関し、様々な使用状況に応じて、テーブル板の長さ、高さを調節できるようにした、多用途テーブル装置に関するものである。
【０００２】
【従来の技術】
病院や家庭内で、従来より、ベッド傍らに置いて、ベッド側面において床面に足を着いて座位姿勢をとりながら、食事や、読書、或いは機能回復訓練として用いているテーブル装置（リハビリテーブル）や、ベッドのボトム上を跨いで、使用するオーバーベッドテーブルがある。これらテーブル装置には、使用者に応じてテーブル板の高さを調節可能に構成して、使いやすいようにしたものが多い。以前、本出願人は、リハビリテーブルの一例として特願２００１−３７２０１０号を提案している。かかるテーブル装置は、位置決め操作が簡単で、且つ不用意にテーブル板が落下することのないようにした高さ調節機構を備えており、使いやすいものとなっている。
【０００３】
【発明が解決しようとする課題】
しかしながら、いくらテーブル板の高さ調節が容易であるとしても、ベッドのボトム上を跨いで、オーバーベッドテーブルとして使用することはできず、別に専用のオーバーベッドテーブルを備える必要がある。
本発明は、このような背景から提案されたものであって、リハビリテーブルとしてはもちろん、オーバーベッドテーブルとしても使うことができるなど、ベッド周りでいろいろな使い方ができる構造とした、多用途テーブル装置を提供することを目的とする。
【０００４】
【課題を解決するための手段】
前記した課題を解決するために、本発明では、請求項１において、一対の脚部と、これら脚部にそれぞれ立設した支柱部と、これら支柱部上部側間に伸縮可能な調節杆を配設して、前記支柱部間を調節可能に構成し、前記調節杆上辺中央箇所に、支持部材を介してメインテーブル板を配置すると共に、調節杆上辺両端側にそれぞれサブテーブル板を配置し、前記調節杆を使用状況に応じて伸縮調節して、支柱部間の距離を変えて、前記メインテーブル板からサブテーブル板を出し入れすることで、実質的なテーブル面を調節可能とした多用途テーブル装置を提案する。
また本発明では、請求項２において、前記一対の支柱部は、それぞれ脚部に固設した固定支柱と固定支柱に昇降可能に保持した昇降支柱とを有し、この昇降支柱上端側に前記調節杆を配設し、この昇降支柱を高さ調節機構により昇降調節して、前記メインテーブル板およびサブテーブル板の高さを調節可能とした多用途テーブル装置を提案する。
また本発明では、請求項３において、前記高さ調節機構は、前記固定支柱側に位置決めとメインテーブル板並びにサブテーブル板の落下を阻止するためのストッパと、固定支柱に対する前記昇降支柱のがたつきを抑えるためのノブボルトとを有し、前記昇降支柱側に前記ストッパが係止すべき係止凹部を複数列設して構成した多用途テーブル装置を提案する。
また本発明では、請求項４において、前記調節杆は、前記メインテーブル板を支えるセンター杆と、センター杆両端側に進退可能に装着し、前記サブテーブル板を支えてなる、双方の支柱部上部側に固設した進退杆によって構成した多用途テーブル装置を提案する。
さらに本発明では、請求項５において、前記脚部は、長尺な脚枠とこの脚枠両端に設けた、前部キャスタ枠と後部キャスタ枠とを有し、これら前部キャスタ枠と後部キャスタ枠とにそれぞれ前輪キャスタ、後輪キャスタを取り付け、前記脚枠内に前記前輪キャスタ、後輪キャスタの接地面より下方に突出して脚部を拘束するブレーキ手段を設けた多用途テーブル装置を提案する。
【０００５】
請求項１によれば、使用状況に応じて一対の脚部に立設した支柱部間を伸縮調節して、支柱部間の距離を変えて、前記メインテーブル板からサブテーブル板を出し入れすることで、実質的なテーブル面を長くしたり短くしたりすることができる。
【０００６】
請求項２によれば、前記一対の支柱部における昇降支柱を高さ調節機構により昇降調節して、メインテーブル板およびサブテーブル板の高さを調節し、使用状況に対応させることができる。
【０００７】
請求項３によれば、ノブボルトを緩め、テーブル板を持ち上げると、昇降支柱が上昇して、ストッパが昇降支柱の係止凹部を乗り上げ、その直下の係止凹部に係止する。次いで、ノブボルトを締め、固定支柱に対し前記昇降支柱を固定する。
一方、テーブル板を下げるには、ノブボルトを緩め、テーブル板を持ち上げながら、ストッパを解除方向に押すと、ストッパが昇降支柱の係止凹部から外れ、任意の位置まで、テーブル板を下げることができる。
【０００８】
請求項４によれば、調節杆の伸縮調節を行なう際、メインテーブル板を支えるセンター杆両端側から、サブテーブル板を支える進退杆を出し入れ調節することで達成することができる。
【０００９】
請求項５によれば、脚部は、ブレーキ手段を操作することで、脚枠内において前輪キャスタ、後輪キャスタの接地面より下方に突出することで、装置が移動しないように拘束することができる。
【００１０】
【発明の実施の形態】
以下、本発明にかかる多用途テーブル装置につき、一つの実施の形態を挙げ、添付の図面に基づいて説明する。
図１、図２に多用途テーブル装置１を示し、この多用途テーブル装置１は、一対の脚部２と、これら脚部２にそれぞれ立設した支柱部３と、これら支柱部３上部側間に伸縮可能な調節杆４を配設して、前記支柱部３間を調節可能に構成し、前記調節杆４上辺中央箇所に、支持部材（後述）を介してメインテーブル板５を配置すると共に、調節杆４上辺両端側にそれぞれサブテーブル板６，６を配置し、前記調節杆４を使用状況に応じて伸縮調節して、支柱部３間の距離を変えて、前記メインテーブル板５からサブテーブル板６，６を出し入れすることで、実質的なテーブル面を拡縮可能に構成している。
【００１１】
前記一対の支柱部３は、それぞれ脚部２に固設した固定支柱３ａと固定支柱３ａに昇降可能に保持した昇降支柱３ｂとを有し、この昇降支柱３ｂ上端側に前記調節杆４を配設し、この昇降支柱３ｂを高さ調節機構７により昇降調節して、前記メインテーブル板５およびサブテーブル板６，６の高さを調節可能としている。
【００１２】
前記調節杆４は、角パイプで構成し、前記メインテーブル板５を支えるセンター杆４ａと、センター杆４ａ両端側に進退可能に装着し、前記サブテーブル板６，６を支えてなる、双方の支柱部３上部側に固設した進退杆４ｂ，４ｂとによって構成している。
前記センター杆４ａには、上面にセンター杆４ａ長手方向と直交する方向に配設した一対の支持部材８，８を設けており、これら一対の支持部材８，８に前記メインテーブル板５をねじ止めしている。
また前記進退杆４ｂ，４ｂには、上面にそれぞれ前記サブテーブル板６，６を取り付けるコ型枠９，９を設けている。コ型枠９は、コ型枠９にサブテーブル板６をねじ止めするためにサブテーブル板６の縦横寸法に近似した大きさのコ型枠９としている。
【００１３】
さらに前記メインテーブル板５とサブテーブル板６，６とは、調節杆４における進退杆４ｂ，４ｂが、センター杆４ａ内に退縮する際に、互いにぶつかり合うことのないように、前記支持部材８，８およびコ型枠９，９によって段差支持されている。すなわち、調節杆４における進退杆４ｂ，４ｂが、センター杆４ａ内に退縮する際、サブテーブル板６，６を、メインテーブル板５裏面側に格納するようにしている。
【００１４】
また、前記高さ調節機構７は、支柱部３における固定支柱３ａ側に位置決めとメインテーブル板５の落下を阻止するためのストッパ１０と、固定支柱３ａに対する前記昇降支柱３ｂのがたつきを抑えるためのノブボルト１１とを有し、前記昇降支柱３ｂ側に前記ストッパ１０が係止すべき係止凹部１２を所定間隔毎に複数列設して構成している（図４参照）。
【００１５】
前記ストッパ１０は、前記固定支柱３ａの上端近傍側面に設けた筐体１３に付勢手段である捩りばね１４を介して回動可能に取り付けたもので、固定支柱３ａの側面に形成した通孔（図示省略）から昇降支柱３ｂ側の係止凹部１２に向かって突没可能な先端部１０ａと、基部１０ｂとレバー部１０ｃとによって構成している。
前記先端部１０ａは、後述する係止凹部１２の上縁から昇降支柱３ｂ内に臨入して脱落しないように係止する鉤状部１５を有している。
また、前記基部１０ｂは、筐体１３に付勢手段である捩りばね１４を介して回動可能に支持するための軸部１６を有している。
【００１６】
前記係止凹部１２は、昇降支柱３ｂに例えばプレス加工によって表面Ｕ字型に凹面加工を施したもので、切り欠いた直線状上縁１７を形成している。かかる上縁１７を介し、前記ストッパ１０の先端部１０ａの鉤状部１５を昇降支柱３ｂ内に臨入して脱落しないように係止するようにしている。
【００１７】
なお、前記脚部２は、長尺な脚枠２ａとこの脚枠２ａ両端に設けた、前部キャスタ枠２ｂ，後部キャスタ枠２ｃとを有し、これら前部キャスタ枠２ｂ，後部キャスタ枠２ｃにそれぞれ前輪キャスタ１８、後輪キャスタ１９を取り付けている。
また前記脚枠２ａ内には、前記前輪キャスタ１８、後輪キャスタ１９の接地面より下方に突出して脚部２を拘束するブレーキ手段（図示省略）が設けられ、かかるブレーキ手段を操作する操作ペダル２０を前記前部キャスタ枠２ｂ近傍に設けている。
【００１８】
以上のように構成される多用途テーブル装置１において、図６に示すようにベッド２１の側面において使用するときは、メインテーブル板５裏面にサブテーブル板６，６を格納した状態で使用することができる。
この際、先ず、ベッド２１におけるボトム２２の高さにメインテーブル板５の高さを合わすべく、高さ調節機構７により支柱部３を調節し、ボトム２２上に、ボトム２２サイド側から脚部２の後輪キャスタ１９側を差し入れることで、メインテーブル板５は、ボトム２２サイドにおいて座位姿勢をとっている使用者の胴腹部にもたらされ、使用者は、メインテーブル板５の凹所に腹部を当てた状態でメインテーブル板５上に肘を乗せ、座位姿勢を保持することができる。これによってメインテーブル板５を小物置きの他、食事台として、あるいは読書の際の書見台として使用することができる。
【００１９】
もし、前記メインテーブル板５が低いときは、メインテーブル板５を上げる操作を行う。
ノブボルト１１を緩めると、固定支柱３ａと昇降支柱３ｂ間が緩み、固定支柱３ａに対し、昇降支柱３ｂが昇降可能に開放される。この状態において前記メインテーブル板５を持ち上げると、ストッパ１０における先端部１０ａが、昇降支柱３ｂの係止凹部１２の凹状斜面部を伝って乗り上げ、直下の係止凹部１２に、捩りばね１４の付勢力によって前記先端部１０ａが係止する。かかる操作を左右の支柱部３の高さ調節機構７を同様に行い、左右の支柱部３の高さを合わせ、前記ノブボルト１１を締付け操作して固定支柱３ａに対し、昇降支柱３ｂを保持するようにすればよい。
【００２０】
一方、前記メインテーブル板５が高すぎる場合は、メインテーブル板５を下げる操作を行う。メインテーブル板５を下げるには、ノブボルト１１を緩めて、固定支柱３ａと昇降支柱３ｂとの間を緩め、固定支柱３ａに対し、昇降支柱３ｂが昇降可能に開放させて、メインテーブル板５を持ち上げながら、ストッパ１０のレバー部１０ｃを解除方向に押すと、ストッパ１０における先端部１０ａが、昇降支柱３ｂの係止凹部１２から外れ、任意の位置まで、メインテーブル板５を下げることができる。
【００２１】
次に、前記多用途テーブル装置１を、図７に示すようにオーバーベッドテーブルとして使用するときは、このままではテーブル面の長手方向寸法、並びに高さ寸法が足らず使用することができないので、テーブル面の長手方向寸法、並びに高さ寸法を拡張するべく調節作業を行なう。
先ず、テーブル面の長手方向寸法を拡張する操作として、図３、図４に示すようにメインテーブル板５裏面側から、サブテーブル板６，６をそれぞれ引き出すようにする。すなわち、メインテーブル板５を支えるセンター杆４ａ両端側からサブテーブル板６，６を支える進退杆４ｂ，４ｂを引き出すようにする。
すると、支柱部３，３間の距離が拡張すると共に、メインテーブル板５長手方向両端側から、サブテーブル板６，６が突出することで、前記ベッド２１におけるボトム２２を幅方向に跨ぐに十分な寸法となる。
【００２２】
次いで、高さ調節機構７を操作してメインテーブル板５並びにサブテーブル板６，６の高さを調節する。
このようにして、メインテーブル板５並びにサブテーブル板６，６をベッド２１のボトム２２上の使用者にもたらして、食事台として、あるいは読書の際の書見台として使用することができる。
【００２３】
【発明の効果】
本発明によれば、リハビリテーブルとしてはもちろん、オーバーベッドテーブルとしても使うことができるなど、ベッド周りでいろいろな使い方ができるので、一つのテーブル装置を用意すればよく、ベッド周りの省スペース化はもちろん、設備コストの削減にも寄与することができる。
【００２４】
【図面の簡単な説明】
【図１】本発明にかかる多用途テーブル装置の外観斜視図である。
【図２】図１に示す多用途テーブル装置の分解斜視図である。
【図３】図１に示す多用途テーブル装置の機能を示す側面図である。
【図４】図３に示す多用途テーブル装置の平面図である。
【図５】高さ調節機構の一例を示す要部断面説明図である。
【図６】本発明にかかる多用途テーブル装置をリハビリテーブルとして使用する際の斜視説明図である。
【図７】本発明にかかる多用途テーブル装置をオーバーベッドテーブルとして使用する際の斜視説明図である。
【符号の説明】
１                          多用途テーブル装置
２                          脚部
２ａ                        脚枠
２ｂ                        前部キャスタ枠
２ｃ                        後部キャスタ枠
３                          支柱部
３ａ                        固定支柱
３ｂ                        昇降支柱
４                          調節杆
４ａ                        センター杆
４ｂ                        進退杆
５                          メインテーブル板
６                          サブテーブル板
７                          高さ調節機構
８                          支持部材
９                          コ型枠
１０                        ストッパ
１０ａ                      先端部
１０ｂ                      基部
１０ｃ                      レバー部
１１                        ノブボルト
１２                        係止凹部
１３                        筐体
１４                        捩りばね
１５                        鉤状部
１６                        軸部
１７                        上縁
１８                        前輪キャスタ
１９                        後輪キャスタ
２０                        操作ペダル
２１                        ベッド
２２                        ボトム
【図１】
2004180912.tif 000003
【図２】
2004180912.tif 000004
【図３】
2004180912.tif 000005
【図４】
2004180912.tif 000006
【図５】
2004180912.tif 000007
【図６】
2004180912.tif 000008
【図７】
2004180912.tif 000009